(57)【要約】      （修正有）【課題】磁気テープカートリッジの非接触型メモリの情報をいつでも参照し管理可能とする。【解決手段】カートリッジ収納棚７にカートリッジ１に内蔵されている非接触型メモリ２を読み取ることが出来るＲＦインタフェース６を備え、非接触型メモリの情報を読み取り、その情報がライブラリ装置に備え付けられた液晶パネル１２に表示される。カートリッジ収納棚に非接触型メモリ読取装置を備え付けることで、磁気記録再生装置への搬送とロード／アンロードの動作を行わなくてもカートリッジ内の非接触型メモリに記録されているカートリッジの固有情報及び動作状態履歴情報を参照でき、その情報を利用してカートリッジの有無、識別管理と品質管理が行える。【選択図】図３
2009163848.tif 000002
【特許請求の範囲】
【請求項１】
カートリッジ収納棚に非接触型メモリを読み取れるRFインタフェースを搭載しカートリッジの情報を読み取り管理することを特徴とする装置。
【請求項２】
カートリッジを複数搭載できる随時取り出し可能なマガジンに非接触型メモリを搭載しマガジンに搭載しているカートリッジの情報を管理することを特徴とする装置。
【発明の詳細な説明】
【技術分野】
【０００１】
本発明は、磁気でデータの記録／再生が出来る磁気テープカートリッジと、前記の磁気テープカートリッジを収納することが出来るカートリッジ収納棚があり、磁気テープカートリッジを掴む把持機構と、磁気テープカートリッジを搬送する搬送機構と、磁気テープカートリッジにデータを記録／再生する事が出来る記録再生装置を有するライブラリ装置における磁気テープカートリッジの管理方式に関する。
【背景技術】
【０００２】
データを記録した磁気テープカートリッジ（以下カートリッジと呼ぶ）を複数収納することが出来る収納棚（以下、カートリッジ収納棚と呼ぶ）を有し、このカートリッジ収納棚からカートリッジを取り出す機構（以下、カートリッジを取り出す機構を把持機構と呼ぶ）を備え、カートリッジを搬送する機構（以下、搬送機構と呼ぶ）と、カートリッジに記録／再生をすることが出来る磁気記録再生装置を有し、カートリッジを管理することが出来る装置をライブラリ装置と呼ぶ。
【０００３】
カートリッジ内には、データを記録するための磁気テープ部と管理情報を記録するための非接触型メモリを搭載している。非接触型メモリに記録されている管理情報として、カートリッジのシリアルナンバーなどの固有情報，磁気記録再生装置で動作させた際の状態を記した履歴情報（以下、動作状態履歴情報と呼ぶ）がある。このカートリッジ内の磁気テープ部及び非接触型メモリ部の書き込み／読み出しはカートリッジを磁気記録再生装置に搬送しロード及びアンロードした際に行っている。
【０００４】
従来のカートリッジ管理方法はカートリッジの固有情報を記録したバーコードラベルをカートリッジに貼付し、そのバーコードラベルをバーコードリーダで読み取ることで、ライブラリ装置は固有情報を管理していた。また、カートリッジの動作状態履歴情報を参照するためには、カートリッジ内の非接触型メモリの情報を読み取る必要があるため、カートリッジを磁気記録再生装置に搬送しロード及びアンロードする必要があった。
【０００５】
【特許文献１】特開２００４−２２０７２号公報
【特許文献２】特開２００４−５９２９号公報
【発明の開示】
【発明が解決しようとする課題】
【０００６】
従来技術では、バーコードラベルによって固有情報を管理し、カートリッジの動作状態履歴情報はカートリッジ内の非接触型メモリで管理されていた。
【０００７】
バーコードラベルでのカートリッジ管理では、カートリッジの巻数が多くなるとその巻数分だけバーコードリーダによるスキャンによって時間がかかる問題点があった。また、カートリッジ内の非接触型メモリの情報を参照する場合、カートリッジを磁気記録再生装置に搬送しロード／アンロードする動作が必要である問題点もあった。
【０００８】
本発明の目的は、カートリッジ内の非接触型メモリに記録された情報をいつでも読み取れる状態にし、非接触型メモリに記録された２つの固有情報と動作状態履歴情報を利用できるようにしてカートリッジ管理を向上させたライブラリ装置を提供することである。
【課題を解決するための手段】
【０００９】
カートリッジ収納棚にカートリッジ内の非接触型メモリを読み取るための非接触型メモリ読取装置を取り付け、カートリッジ内の非接触型メモリの情報を表示するための表示手段とその情報を格納し処理するマイクロプロセッサとメモリを有することを特徴とするライブラリ装置によって本課題が解決できる。
【発明の効果】
【００１０】
カートリッジ収納棚に非接触型メモリ読取装置を備え付けることで、磁気記録再生装置への搬送とロード／アンロードの動作を行わなくてもカートリッジ内の非接触型メモリに記録されているカートリッジの固有情報及び動作状態履歴情報を参照できる。その情報を利用してカートリッジの有無、識別管理と品質管理が行える。
【発明を実施するための最良の形態】
【００１１】
本発明の実施形態におけるライブラリ装置とカートリッジの構成と動作について説明する。図１は、本発明のカートリッジの模式図である。カートリッジ１に非接触型メモリ２が内蔵されている。非接触型メモリ２は、非接触型メモリ読取装置（以下ＲＦインタフェースと呼ぶ）によって非接触の状態で非接触型メモリ２の内容の読み書きが出来る。またカートリッジ１内には、非接触型メモリ２の他に磁気記録再生装置３で書き込み／読み出しが出来る磁気テープが内蔵されている。
【００１２】
図２は、本発明の実施形態におけるライブラリ装置を示す図である。カートリッジ収納棚７には、カートリッジ１に内蔵された非接触型メモリ２を書き込み／読み出しするためのRFインタフェース６が備え付けられており、カートリッジ１を収納することが出来る。ライブラリ装置は、ライブラリ制御部８によって制御され、搬送機構４と把持機構５によってカートリッジ１がカートリッジ収納棚７間や磁気記録再生装置３に搬送することが出来る。磁気記録再生装置３では、カートリッジ１に内蔵された磁気テープにデータを書き込み／読み出しする機構と非接触型メモリの情報を書き込み／読み出しが出来る機構が備わっている。通常、カートリッジ１がカートリッジ収納棚７に収納された段階でカートリッジ１に内蔵された非接触型メモリ２がRFインタフェース６によって読み出すことが出来る。また、カートリッジ１が把持機構５や搬送機構４を介して搬送され磁気記録再生装置３に挿入され、カートリッジ１内の磁気テープにデータが記録されたとき、非接触型メモリ２の情報も書き込まれ更新される。
【００１３】
図３は、本発明の実施形態におけるライブラリ装置のブロック図である。本図はカートリッジ１がカートリッジ収納棚７に収納された状態を示している。RFインタフェース６を介してカートリッジ１内蔵の非接触型メモリ２の内容が読み出される。非接触型メモリ２から読み出された情報を元にライブラリ制御部８に内蔵されたマイクロプロセッサ９やメモリ１０により判定処理され、判定結果によって液晶パネル１２に表示される。判定処理とは例えば、非接触型メモリ２に記録された情報としてビットエラーレートが記録されていた場合は、設定された数値以上のエラーレートの場合は液晶パネルに該当するカートリッジ１を液晶パネルに表示するなどである。
【００１４】
図４は、非接触型メモリ２に記録された情報の説明図である。例えば、図のようにカートリッジシリアル情報、磁気テープに書き込んだデータ容量、最後に磁気テープに書き込んだ日付、ビットエラーレート、エラー情報、カートリッジの種類などを記録する。
【００１５】
図５は、非接触型メモリ２を搭載したマガジン１１の模式図である。マガジン１１はカートリッジ１を複数搭載することが出来、またライブラリ装置からマガジン１１ごと随時取り外し／挿入可能である。マガジン１１はライブラリ装置からカートリッジ1をまとめて取り出したり、挿入したりするときに使用する。
【００１６】
図６はマガジン１１に搭載する非接触型メモリ２に記録された情報の説明図である。基本的に図４で示した情報と同じであるが、搭載されるカートリッジの位置を示す情報が記録されている。
【００１７】
図７は、本発明の別の実施形態におけるライブラリ装置を示す図である。図２の実施形態と比べてマガジン１１が備わり、さらにマガジン１１に搭載されている非接触型メモリ２を書き込み／読み出しするためのRFインタフェース６が備わっている。カートリッジ１を複数本取り出す場合、任意のカートリッジ１が搬送機構４によってマガジン１１に搬送される。搬送される直前にカートリッジ収納棚７に備え付けられたRFインタフェース６によってカートリッジ１の情報が読み出され、その情報がライブラリ制御部８を介してマガジン１１用に用意されたRFインタフェース６によってマガジン１１に搭載された非接触型メモリ２にその情報が書き込まれる。
【００１８】
図８は、本発明の別の実施形態におけるライブラリ装置を示すブロック図である。マガジン１１がライブラリ装置から取り出される場合について下記に示す。取り出したいカートリッジ１を任意に選び、搬送機構４によってマガジン１１にはんそうする。カートリッジ１が搬送機構４によって搬送される直前にカートリッジ収納棚７に備え付けられたRFインタフェース６によってカートリッジ１の情報が読み出される。その情報がライブラリ制御部８を介してマガジン１１用に用意されたRFインタフェース６によってマガジン１１に搭載された非接触型メモリ２にその情報が書き込まれる。マガジン１１に搭載されたカートリッジ１の非接触型メモリ２に記録された情報は、液晶パネル１２に表示される。任意の巻数分について、この動作が繰り返されたあとに、マガジン１１がライブラリ装置から取り出しが可能となる。マガジン１１がライブラリ装置に挿入される場合について下記に示す。ただし、ライブラリ装置からマガジン１１が取り出されてから、マガジン１１に搭載されたカートリッジ１を取り出していないことを前提とする。マガジン１１がライブラリ装置に搭載された場合、マガジン１１用に用意されたRFインタフェース６によってマガジン１１に搭載された非接触型メモリ２が読み出される。ライブラリ制御部８を介して、その情報が液晶パネル１２に表示され、マガジン１１にどのカートリッジ１が搭載されているか知ることが出来る。
【００１９】
図９は、本発明の実施形態におけるライブラリ装置のフロー図である。本発明の実施形態の一つとして、カートリッジ内の情報を元にカートリッジ管理が以下のフローによって行うことが出来る。カートリッジ収納棚にカートリッジが収納される（２０１）。そのとき、カートリッジ内の非接触型メモリの内容が読み出される（２０２）。非接触型メモリに記録されている最初にこのカートリッジが使用された日付が参照され（２０３）、本日の日付と比較することで（２０４）、どれくらい古いカートリッジか確認できる。古いカートリッジの場合は、液晶パネルに警告表示を出す（２０５）。非接触型メモリに内蔵されたエラーレートがライブラリ装置に設定された値と比較し（２０６）、高い場合は液晶パネルにエラーレートが高いカートリッジを警告表示する（２０７）。液晶パネルに表示された内容によって、例えば管理者がカートリッジを継続して使用するか使い続けるかを判断することが出来、古いカートリッジを使用しないようにし、エラーレートが高いものを使用しないといったカートリッジ管理が可能になる。
【００２０】
図１０は、本発明の別の実施形態におけるライブラリ装置のフロー図である。本フロー図は、非接触型メモリを搭載したマガジンの場合のフロー図である。ライブラリ装置にマガジンが格納され（３０１）、マガジンに搭載した非接触型メモリの内容が読み出される（３０２）。マガジンに搭載された非接触型メモリに記録されている情報の中で、最初に使用された日付の情報を参照し、本日の日付と比較することで（３０４）、どれくらい古いカートリッジがマガジンのどの位置に搭載されているか確認でき、その情報とともに警告表示が液晶パネルに表示される（３０５）。非接触型メモリに内蔵されたエラーレートがライブラリ装置に設定された値と比較し（３０６）、高い場合はエラーレートが高いカートリッジをマガジンのどの位置に搭載されているかの情報とともに警告表示が液晶パネルに表示される（３０７）。マガジンを挿入しただけで、搭載されているカートリッジの情報が液晶パネルに表示し参照できるため、例えば、その情報を元に管理者などがカートリッジの管理を行える。
【産業上の利用可能性】
【００２１】
従来から利用されているライブラリ装置のカートリッジ収納棚にRFインタフェースの機構とマガジンに非接触型メモリを追加し、ライブラリ制御部でその情報の判定をさせることにより、産業上の利用が可能である。
【図面の簡単な説明】
【００２２】
【図１】磁気テープカートリッジを示す図。
【図２】本発明の実施形態におけるライブラリ装置の模式図。
【図３】本発明の実施形態におけるデータのやりとりを示すブロック図。
【図４】本発明の実施形態における非接触型メモリに記録された情報の説明図。
【図５】本発明の実施形態におけるマガジンの模式図。
【図６】本発明の実施形態におけるマガジンに搭載する非接触型メモリに記録された情報の説明図。
【図７】本発明の別の実施形態におけるライブラリ装置の模式図。
【図８】本発明の別の実施形態におけるデータのやりとりを示すブロック図。
【図９】本発明の実施形態にライブラリ装置のフロー図。
【図１０】本発明の別の実施形態にライブラリ装置のフロー図。
【符号の説明】
【００２３】
１…カートリッジ、２…非接触型メモリ、３…磁気記録再生装置、４…搬送機構、５…把持機構、６…RFインタフェース、７…カートリッジ収納棚、８…ライブラリ制御部、９…マイクロプロセッサ、１０…メモリ、１１…マガジン、１２…液晶パネル。
【図１】
2009163848.tif 000003
【図２】
2009163848.tif 000004
【図３】
2009163848.tif 000005
【図４】
2009163848.tif 000006
【図５】
2009163848.tif 000007
【図６】
2009163848.tif 000008
【図７】
2009163848.tif 000009
【図８】
2009163848.tif 000010
【図９】
2009163848.tif 000011
【図１０】
2009163848.tif 000012